【手続補正書】
【提出日】平成23年12月22日(2011.12.22)
【手続補正１】
【補正対象書類名】特許請求の範囲
【補正対象項目名】全文
【補正方法】変更
【補正の内容】
【特許請求の範囲】
【請求項１】
モータステータに巻回された巻線と、
前記巻線に電流を供給するモータリード線と、
前記モータリード線から外部に発生する輻射ノイズを抑制するよう、該リード線の外周を被覆したシールドと、
前記シールドの外周を保護するように被覆するシースと、
を備えたシールド線付モータ巻線において、
前記モータリード線と前記シールドの間にストロー状をした極薄肉の絶縁チューブを設けると共に、前記絶縁チューブおよび前記シールド並びに前記シースを一体に成形した一体部品で構成したことを特徴とするシールド線付モータ巻線。
【請求項２】
前記モータリード線と前記巻線の接続部が、前記モータステータ全体を含めて一体になるようにワニス含浸処理されたものであることを特徴とする請求項１記載のシールド線付モータ巻線。
【請求項３】
前記一体部品は、前記モータリード線と独立して構成すると共に、長手方向に自由度を有することを特徴とする請求項１または２に記載のシールド線付モータ巻線。
【請求項４】
前記シールドの外径部と前記シースの内径部とのクリアランスが１．５ｍｍ以下であることを特徴とする請求項１〜３までの何れか１項に記載のシールド線付モータ巻線。
【請求項５】
前記シースの端末を収縮チューブで覆ったことを特徴とする請求項１〜４までの何れか１項に記載のシールド線付モータ巻線。
【請求項６】
前記極薄肉の絶縁チューブ及び前記シールド並びに前記シースで構成した一体部品を前記モータリード線に挿入後、前記絶縁チューブのみ抜き取って構成したことを特徴とする請求項１〜５までの何れか１項に記載のシールド線付モータ巻線。
【請求項７】
前記シールドが前記絶縁チューブに対してスパイラル状に巻かれていることを特徴とする請求項１〜６までの何れか１項に記載のシールド線付モータ巻線。
【請求項８】
前記シールドの先端を前記シースの端末の外周側を覆うように折り返すように構成し、前記シース端末にて折り返された前記シールドの折り返し部の外側を前記収縮チューブで固定したことを特徴とする請求項１〜７までの何れか１項に記載のシールド線付モータ巻線。
【請求項９】
前記収縮チューブに替えて、前記シールドの折り返し部の端末をテープで固定したことを特徴とする請求項１〜７までの何れか１項に記載のシールド線付モータ巻線。
【請求項１０】
前記シースの反負荷側端末には、前記モータリード線を前記モータステータとの間でクランプするためのリードクランプを設けると共に、前記モータリード線の前記モータステータにおける取出し口にシール用のパッキンを設けたことを特徴とする請求項１〜９までの何れか１項に記載のシールド線付モータ巻線。
【請求項１１】
前記シースの負荷側端末に防滴性を有する防滴コネクタを備えたことを特徴とする請求項１〜１０までの何れか１項に記載のシールド線付モータ巻線。
【請求項１２】
請求項１〜１１までの何れか１項に記載のシールド線付モータ巻線を備えたことを特徴とするモータ。
【手続補正２】
【補正対象書類名】明細書
【補正対象項目名】０００２
【補正方法】変更
【補正の内容】
【０００２】
[第２従来技術]
第２従来技術として、モータリード線とモータの巻線を含むステータを一緒にワニス含浸する場合、前記シールド付リード線を使用するとワニス硬化時にシールド、シースがワニスに侵されるため、シールド付リード線を使用してワニス含浸することができず、巻線とバラ線のモータリード線を結線してワニス含浸後、モータリード線外周にシールド付後被覆式チューブを後付けしたものが提案されている（例えば、特許文献２を参照）。
図８は第２従来技術を示すシールド付後被覆式チューブを使用したモータの側断面図であり、モータＭの基本構成は図７と同じである。図８において、１２はシールド付後被覆式チューブであり、バラ線のモータリード線１とモータの巻線６を含むステータ１２をワニス含浸１３後、モータリード線１に挿入し、マジックテープ（登録商標）１４で被覆外周１５を固定している。
【手続補正３】
【補正対象書類名】明細書
【補正対象項目名】０００８
【補正方法】変更
【補正の内容】
【０００８】
上記問題を解決するため、本発明は次のような構成にしたものである。
請求項１の発明は、モータステータに巻回された巻線と、前記巻線に電流を供給するモータリード線と、前記モータリード線から外部に発生する輻射ノイズを抑制するよう、該リード線の外周を被覆したシールドと、前記シールドの外周を保護するように被覆するシースと、を備えたシールド線付モータ巻線において、前記モータリード線と前記シールドの間にストロー状をした極薄肉の絶縁チューブを設けると共に、前記絶縁チューブおよび前記シールド並びに前記シースを一体に成形した一体部品で構成したことを特徴としている。
請求項２の発明は、請求項１記載のシールド付モータ巻線において、前記モータリード線と前記巻線の接続部が、前記モータステータ全体を含めて一体になるようにワニス含浸処理されたものであることを特徴としている。
請求項３の発明は、請求項１または２に記載のシールド線付モータ巻線において、前記一体部品は、前記モータリード線と独立して構成すると共に、長手方向に自由度を有することを特徴としている。
請求項４の発明は、請求項１〜３までの何れか１項に記載のシールド付モータ巻線において、前記シールドの外径部と前記シースの内径部とのクリアランスが１．５ｍｍ以下であることを特徴としている。
請求項５の発明は、請求項１〜４までの何れか１項に記載のシールド付モータ巻線において、前記シースの端末を接着剤付収縮チューブで覆ったことを特徴としている。
請求項６の発明は、請求項１〜５までの何れか１項に記載のシールド付モータ巻線において、前記極薄肉の絶縁チューブ及び前記シールド並びに前記シースで構成した一体部品を前記モータリード線に挿入後、前記絶縁チューブのみ抜き取って構成したことを特徴としている。
請求項７の発明は、請求項１〜６までの何れか１項に記載のシールド付モータ巻線において、前記シールドが前記絶縁チューブに対してスパイラル状に巻かれていることを特徴としている。
請求項８の発明は、請求項１〜７までの何れか１項に記載のシールド付モータ巻線において、前記シールドの先端を前記シースの端末の外周側を覆うように折り返すように構成し、前記シース端末にて折り返されたシールドの折り返し部の外側を収縮チューブで固定したことを特徴としている。
請求項９の発明は、請求項１〜７までの何れか１項に記載のシールド付モータ巻線において、前記シールドの折り返し部の端末をテープで固定したことを特徴としている。
請求項１０の発明は、請求項１〜９までの何れか１項に記載のシールド付モータ巻線において、前記シースの反負荷側端末には、前記モータリード線を前記モータステータとの間でクランプするためのリードクランプを設けると共に、前記モータリード線の前記モータステータにおける取出し口にシール用のパッキンを設けたことを特徴としている。
請求項１１の発明は、請求項１〜１０までの何れか１項に記載のシールド付モータ巻線において、前記シースの負荷側端末に防滴性を有する防滴コネクタを備えたことを特徴としている。
請求項１２の発明は、請求項１〜１１までの何れか１項に記載のシールド付モータ巻線を備えたモータを特徴としている。